(57)【要約】【課題】従来よりも簡単な機構により便器の封水面の水位を低下させることが出来る水洗便器を提供する。【解決手段】使用者の排泄物を受けるボウル部１２と、ボウル部１２に連通するとともに、ボウル部１２内の溜水Ｗを下水管１６に排出し、下水管１６を水封するトラップ部１４と、ボウル部１２内に水を供給する給水手段とを備え、給水手段によりボウル部１２内に溜水Ｗを所定の水位となるように供給し、ボウル部１２内に溜水Ｗの封水面Ｐを形成する水洗便器１において、ボウル部１２内からトラップ部１４を経て下水管１６に通じるパイプ部２０をさらに設け、パイプ部２０のボウル部１２内の開口端部２０２は、封水面Ｐよりも下部に設けられ、パイプ部１２の下水管１６内の開口端部２０４は、ボウル部１２内の開口端部２０２よりも下部に設けられている水洗便器１。【選択図】図１
2011111716.tif 000002
【特許請求の範囲】
【請求項１】
使用者の排泄物を受けるボウル部と、
前記ボウル部に連通するとともに、前記ボウル部内の溜水を下水管に排出し、前記下水管を水封するトラップ部と、
前記ボウル部内に水を供給する給水手段とを備え、
前記給水手段により前記ボウル部内に前記溜水を供給し、前記ボウル部内に前記溜水の封水面を形成する水洗便器において、
前記ボウル部内から前記下水管に通じるパイプ部をさらに設け、
前記パイプ部の前記ボウル部内の開口端部は、前記封水面よりも下部に設けられ、
前記パイプ部の前記下水管内の開口端部は、前記ボウル部内の開口端部よりも下部に設けられていることを特徴とする水洗便器。
【発明の詳細な説明】
【技術分野】
【０００１】
本発明は、所望時に封水面水位の低下可能な水洗便器に関する。
【背景技術】
【０００２】
水洗式の大便器は、臭気の発生を抑制し、清潔且つ衛生的であるために、家庭用トイレおよび公共トイレに幅広く普及している。通常の水洗式大便器は配水管の臭気の逆流、使用時の汚物の付着を抑制するために、ボウル部に溜水を形成している。しかし、溜水の封水面の吃水線に沿ってボウル面に水垢などが付着すると、見た目にも不衛生な印象を与える。これを掃除するために、洗剤をかけてブラシなどでこすろうとしても、洗剤が溜水に薄まってしまい、洗浄が容易でない。また、溜水がブラシなどで跳ねて清掃しにくいという問題もある。
【０００３】
これに対して、いわゆる「水道直圧式」の水洗便器において洗浄水を供給するタイミングを制御することにより、封水の水位を通常よりも下げた、いわゆる「お掃除モード」を実行可能とした水洗式大便器が開示されている（特許文献１）。
【０００４】
また、ユーザー間に広く普及している、いわゆる「ロータンク式」のトイレ装置において、メインバルブを介さずに補助水管を設け、この補助水管の途中にバルブを設けて、このバルブを操作することで封水面の高さを調整する水洗式大便器が開示されている（特許文献２）。ところが、特許文献２に開示した機構による場合、補助水管に設けたバルブの開閉タイミングを制御する手段が必要とされる点で、改善の余地があった。そこで、既存の各種のロータンクを用いながら、簡単な機構で、封水の水位を低い状態に維持させる「お掃除モード」の動作も可能としたトイレ装置が開示されている（特許文献３）。すなわち、特許文献３に開示した機構において、「お掃除モード」を開始すると、まず、タンク水供給バルブを閉じる。タンク水供給バルブが手動式開閉式の場合には使用者が手動によりバルブを閉じる。また、伝道開閉式の場合には、制御部から駆動信号を出力することにより、タンク水供給バルブを閉じた状態にする。このうえで、排水弁を開放することによりサイホン現象が起こされ、その結果ボウル部の水位は、下限レベル近くまで低下するが、前述したように、タンク水供給バルブが閉じられた状態にあるため、便器への洗浄水の供給は停止され、水位が低い状態が維持される。
しかしながら、特許文献１〜３のいずれの技術においても、その機構は溜水のための洗浄水の供給停止または供給量制限であり、したがって、その後に当該供給停止の解除または供給量制限の解除を行う必要がある。解除を手動で行う場合、解除を失念すると、洗浄後の便器の水位は常に低い状態となるばかりか、特許文献２による場合においては、洗浄水がまったく供給されない事態も招きかねない。自動的に解除される場合にはこのような事態は免れるが、機構が複雑になり故障の原因が増えることになる。
【先行技術文献】
【特許文献】
【０００５】
【特許文献１】国際公開第２００４／０２９３７４号パンフレット
【特許文献２】特開平１１−３５０５７８号公報
【特許文献３】特開２００６−２３３５８３号公報
【発明の概要】
【発明が解決しようとする課題】
【０００６】
本発明の目的は、従来よりも簡単な機構により必要に応じ便器の封水面の水位を低下させることが出来る水洗便器を提供することにある。
【課題を解決するための手段】
【０００７】
本発明は：
使用者の排泄物を受けるボウル部と、
前記ボウル部に連通するとともに、前記ボウル部内の溜水を下水管に排出し、前記下水管を水封するトラップ部と、
前記ボウル部内に水を供給する給水手段とを備え、
前記給水手段により前記ボウル部内に前記溜水を供給し、前記ボウル部内に前記溜水の封水面を形成する水洗便器において、
前記ボウル部内から前記下水管に通じるパイプ部をさらに設け、
前記パイプ部の前記ボウル部内の開口端部は、前記封水面よりも下部に設けられ、
前記パイプ部の前記下水管内の開口端部は、前記ボウル部内の開口端部よりも下部に設けられていることを特徴とする水洗便器を提供する。
【発明の効果】
【０００８】
本発明によれば、従来よりも簡単な機構により必要に応じ便器の封水面の水位を低下させることが出来る水洗便器が提供される。
【図面の簡単な説明】
【０００９】
【図１】本発明の水洗便器の一実施形態を説明するための断面図である。
【図２】本発明の水洗便器の別の実施形態を説明するための断面図である。
【図３】図１における水洗便器の実施形態の動作について説明するための図である。
【図４】図２における水洗便器の実施形態の動作について説明するための図である。
【発明を実施するための形態】
【００１０】
実施の形態１
以下、本発明を図面を参照しながらさらに説明する。
図１は、本発明の水洗便器の一実施形態を説明するための断面図である。図１において、本発明の水洗便器１は、使用者の排泄物を受けるボウル部１２と、ボウル部１２に連通するとともに、ボウル部１２内の溜水を下水管１６に排出し、下水管１６を水封するトラップ部１４と、ボウル部１２内に水を供給する、図示しない給水手段とを備える。ボウル部１２は、仕切板１８により２つに区画され、区画１８Ａは使用者の排泄物を主に受け入れる空間であり、区画１８Ｂは排泄物をトラップ部１４を経て下水管１６に排出するための通路を形成している。給水手段は、ボウル部１２内に溜水Ｗを所定の水位Ｈとなるように供給し、ボウル部１２内に溜水Ｗの封水面Ｐを形成している。本発明では、ボウル部１２内からトラップ部１４を経て下水管１６に通じるパイプ部２０をさらに設けていることを特徴としている。パイプ部２０は、ボウル部１２内の開口端部２０２と、下水管１６内の開口端部２０４とを有する。一方の開口端部２０２は、封水面Ｐよりも下部に設けられ、他方の開口端部２０４は、ボウル部１２内の開口端部２０２よりも下部に設けられている。図１に示す形態では、一方の開口端部２０２が仕切板１８の端部に、封水面Ｐに向かって開口するように設けられているとともに、その上部に突起部１８１が設けられている。パイプ部２０は、開口端部２０２の付近で屈曲部ｂ１によって屈曲し、区画１８Ｂからトラップ部１４に向かって伸びている。さらにパイプ部２０は、トラップ部１４の最上部でもう１つの屈曲部ｂ２により屈曲し、トラップ部１４から下水管１６の下方に向かって伸びている。そして下水管１６内の他方の開口端部２０４は、ボウル部１２内の開口端部２０２よりも下部に位置している。
【００１１】
次に動作について説明する。
掃除等を目的として水洗便器１の封水面Ｐの水位を低下させる場合には、使用者はパイプ部２０のボウル部１２内の開口端部２０２から水を圧入し、下水管１６内の他方の開口端部２０４から水を排出させる。この作業により、溜水Ｗはサイホン効果により、図３（ｃ）に示すようにボウル部１２内の開口端部２０２の位置まで水位が低下し、新たな封水面Ｐを形成する。なお、サイホン効果で流れ切らなかった一部の残留水が屈曲部ｂ１に溜まりパイプ部２０の空気の流通を塞ぐため、排水管の臭気の逆流を防ぐ。
前記水を圧入する方法にとくに制限はないが、例えば図３（ａ）に示すように、スポイトＳに溜水Ｗを吸引させ、その吸引した溜水を図３（ｂ）に示すようにボウル部１２内の開口端部２０２から圧入する方法が挙げられる。
掃除が終了した後は、図３（ｄ）に示すように、常法により図示しない給水手段から洗浄水をボウル部１２内に供給する（いわゆる「流す」作業）。このとき、水位の低下した溜水Ｗはサイホン効果によりトラップ部１４から下水管１６に排出されるが、通常、洗浄水はトラップ部１４の最上部には到達しないので、トラップ部１４の最上部で屈曲部ｂ２を有するパイプ部にサイホン効果は生じず、図３（ｅ）に示すように溜水Ｗは最初の封水面Ｐの水位に戻ることになる。なお、洗浄水がトラップ部１４の最上部付近に到達する場合、一時的にパイプ部２０にサイホン効果が生ずる場合があるが、封水面Ｐの水位低下により開口端部２０２より空気が流入することでサイホン効果が消失するため、溜水Ｗは最初の封水面Ｐの水位に戻ることになる。開口端部２０２の上部の突起部１８１は封水面Ｐの水位低下時に仕切版１８の表面を流れる洗浄水が開口端部２０２へ流入するのを妨ぎ、空気の流入を促進させるために設置されている。これによりサイホン効果の消失がより確実なものになる。サイホン効果の消失を更に確実にするために、図示していないが、例えばトラップ部１４の上部空間をより高くしたうえでパイプ部２０をトラップ部１４の最上部を経由させる構造とするか、若しくはパイプ部２０をトラップ部１４の最上部よりも更に高い位置を経由させるさせる構造とするすることが考えられる。これによりいわゆる「流す」作業においてトラップ部１４の水位が通常より高くなったり（前者の場合）、最上部に到達した場合（後者の場合）においてもサイホン効果は生じない。
【００１２】
実施の形態２
図２は、本発明の水洗便器の別の実施形態を説明するための断面図である。図２において、本発明の水洗便器２は、実施の形態１とほぼ同様の構成を有するが、パイプ部２０のトラップ部１４中の屈曲部ｂ２が、トラップ部１４の下方に位置していること；ボウル部１２内の開口端部２０２付近に仕切板１８と一体的に形成された溜め部３０が形成されていること；開口端部２０２が栓Ｑによって閉塞していること；が異なっている。
【００１３】
次に動作について説明する。
掃除等を目的として水洗便器２の封水面Ｐの水位を低下させる場合には、使用者は、まず、図４（ａ）に示すように栓Ｑを開口端部２０２から取り外す。続いて図４（ｂ）に示すように、常法により図示しない給水手段から洗浄水をボウル部１２内に供給する（いわゆる「流す」）作業を行なう。
洗浄水をボウル部１２内に供給すると、溜水Ｗはサイホン効果により、下水管１６に向かって排出されるがこのとき、パイプ部２０の屈曲部ｂ２が、トラップ部１４の下方に位置しているため、パイプ部２０にもサイホン効果が生じる。ところで、溜水Ｗは、上記「流す」作業により、急激に水位が低下し、一時的に開口端部２０２よりも水位が低くなり、パイプ部２０の開口端部２０２に空気が流れ込むことになる。これを防止するため、パイプ部２０の開口端部２０２が引き続き水で満たされるように、上記のように溜め部３０を設けている。これにより、上記「流す」作業により、急激に水位が低下しても、パイプ部の開口端部２０２の周囲は溜め部３０内の水で満たされているため、空気が流入しない。その後、図４（ｃ）に示すように封水面Ｐは上昇し、通常の状態に近づくが、パイプ部２０のサイホン効果が引き続き有効なため、図４（ｄ）に示すように封水面Ｐは低下に転ずる。なお、サイホン効果で流れ切らなかった一部の残留水が屈曲部ｂ１に溜まりパイプ部２０の空気の流通を塞ぐため、排水管の臭気の逆流を防ぐ。
掃除が終了した後は、図４（ｅ）に示すように、栓Ｑにより再び開口端部２０２を閉塞し、「流す」作業を行なう。このとき、水位の低下した溜水Ｗはサイホン効果によりトラップ部１４から下水管１６に排出されるが、開口端部２０２は栓Ｑにより閉塞しているため、パイプ部２０にサイホン効果は生じず、図４（ｆ）に示すように溜水Ｗは最初の封水面Ｐの水位に戻ることになる。
なお、掃除の際は、便器２の適当箇所にフックＦを設け、これと栓ＱとをチェーンＣにより連結し、チェーンＣの中央部付近に設けられたリングＲをフックＦに係合すれば、掃除の際に邪魔になることはない（図４（ａ）−（ｄ）参照）。
【００１４】
実施の形態１及び２の何れの場合においても、誤ってパイプ部２０に流入した異物がパイプ内部に留まりパイプ部２０を塞ぐことの無いよう、開口端部２０２から開口端部２０４にかけて、パイプ径が徐々に大きくなるようにすることにより、誤って流入した異物は内部に留まることなくスムーズに開口端部２０４へ移動し、下水管１６へ流出することになる。
【符号の説明】
【００１５】
１，２  便器、１２  ボウル部、１４  トラップ部、１６  下水管、１８  仕切板、２０  パイプ部、２０２，２０４  開口端部、３０  溜め部、Ｐ  封水面、Ｑ  栓、Ｓ  スポイト、Ｗ  溜水。
【図１】
2011111716.tif 000003
【図２】
2011111716.tif 000004
【図３】
2011111716.tif 000005
【図４】
2011111716.tif 000006